(57)【特許請求の範囲】
【請求項１】
設定時刻に目覚まし音を発するアラーム機構と、前記アラーム機構に対し、最初の鳴動後所定時間経過後に再鳴動するよう作用するスヌーズ機能部と、ＧＰＳ受信機と、移動距離設定部と、前記アラーム機構により設定した最初のアラーム鳴動時に利用者がいる第一地点の位置情報、並びに、前記スヌーズ機能部の作用による前記アラーム機構の再鳴動時に利用者がいる第二地点の位置情報をそれぞれ前記ＧＰＳ受信機を介して取得し、取得した前記２つの位置情報から前記第一地点と第二地点の間の距離を算出する距離算出部と、押すことで前記アラームの鳴動が一旦は停止するアラーム解除スイッチとを備え、
前記アラーム機構の再鳴動は、前記アラーム解除スイッチを押し、且つ、前記利用者が前記移動距離設定部において設定した設定距離以上移動していない限り解除できないことを特徴とする二重アラーム機能を備えた時計。
【請求項２】
前記スヌーズ機能部は最初のアラーム鳴動後に起動し、前記距離算出部により算出された距離が、前記設定距離に達していない場合に再度アラーム機構が起動する、請求項１に記載の二重アラーム機能を備えた時計。
【請求項３】
前記ＧＰＳ受信機は、最初のアラーム鳴動時刻設定時から設定秒間隔置きに動作し、その都度前記距離算出部に対して位置情報を提供する、請求項１又は２に記載の二重アラーム機能を備えた時計。
【請求項４】
前記ＧＰＳ受信機は、前記設定時刻及びその後設定秒間隔置きに動作し、その都度前記距離算出部に対して位置情報を提供する、請求項１又は２に記載の二重アラーム機能を備えた時計。
【請求項５】
前記アラーム機構は、最初のアラーム鳴動時から一定の時間経過後に、前記アラーム解除スイッチが押されているか否かに関係なく自動解除される、請求項１乃至４のいずれかに記載の二重アラーム機能を備えた時計。
【請求項６】
前記アラーム機構には加速度センサーが設置されている、請求項１乃至５のいずれかに記載の二重アラーム機能を備えた時計。
【請求項７】
前記アラーム機構にはジャイロセンサーが設置され、自律航法により位置情報を取得し、前記距離算出部に対して位置情報を提供する、請求項６に記載の二重アラーム機能を備えた時計。
【請求項８】
腕時計として構成される、請求項１乃至７のいずれかに記載の二重アラーム機能を備えた時計。
【請求項９】
懐中時計として構成される、請求項１乃至７のいずれかに記載の二重アラーム機能を備えた時計。
【発明の詳細な説明】
【技術分野】
【０００１】
本発明は、二重アラーム機能を備えた時計、より詳細には、アラーム機構にＧＰＳ機構を組み合わせて、アラーム設定した時間にアラームが発動すると共に、利用者がアラーム鳴動後に、予め設定した距離以上移動しない限りアラームを解除することができない、二重アラーム機能を備えた時計に関するものである。
【背景技術】
【０００２】
一般的な目覚まし時計やアラーム機構付き腕時計等は、設定時間になるとアラームが鳴動し、当該時計の周囲部に設けられているボタンや突起部を押すことで、アラーム機能を解除してその鳴動を停止することができる。最近では、スヌーズ機能、即ち、アラーム鳴動後、更に一定時間内、数分ごとにアラーム鳴動を継続させるという、二度寝防止機能が備わったものも存在する。
【０００３】
しかるに、上記二度寝防止機能を備えたものも含め、従来の目覚まし時計の場合はいずれも、アラーム機能は、その場で、即ち、寝床に入ったままの態勢で何度かボタンの押し操作を行いさえすれば、解除することができ、必ずしも起床場所から移動する必要がないこと、換言すれば、完全に目覚めて寝床から離れる必要がないことが、従来のアラーム機能の最大の問題点である。
【先行技術文献】
【特許文献】
【０００４】
【特許文献１】特開２００９−１７７６０７号公報
【特許文献２】特開２００１−１８６５６４号公報
【発明の概要】
【発明が解決しようとする課題】
【０００５】
上述したように、従来の目覚まし時計の場合はいずれも、アラーム機能は、その場で、即ち、寝床に入ったままの態勢で何度かボタンの押し操作を行いさえすれば解除することができるため、目覚めの悪い者を、強制的に確実に目覚めさせることはできない。
【０００６】
そこで本発明は、アラーム鳴動によって目覚めた後、寝床を離れる行動をすることなく、単にアラーム解除操作をしただけでは完全なアラーム解除をすることができない機能を備えることにより、目覚めの悪い者であっても、強制的に確実に目覚めさせることができる二重アラーム機能を備えた時計を提供することを課題とする。
【課題を解決するための手段】
【０００７】
上記課題を解決するための請求項１に記載の発明は、設定時刻に目覚まし音を発するアラーム機構と、前記アラーム機構に対し、最初の鳴動後所定時間経過後に再鳴動するよう作用するスヌーズ機能部と、ＧＰＳ受信機と、移動距離設定部と、前記アラーム機構により設定した最初のアラーム鳴動時に利用者がいる第一地点の位置情報、並びに、前記スヌーズ機能部の作用による前記アラーム機構の再鳴動時に利用者がいる第二地点の位置情報をそれぞれ前記ＧＰＳ受信機を介して取得し、取得した前記２つの位置情報から前記第一地点と第二地点の間の距離を算出する距離算出部と、押すことで前記アラームの鳴動が一旦は停止するアラーム解除スイッチとを備え、前記アラーム機構の再鳴動は、前記アラーム解除スイッチを押し、且つ、前記利用者が前記移動距離設定部において設定した設定距離以上移動していない限り解除できないことを特徴とする二重アラーム機能を備えた時計である。
【０００８】
一実施形態においては、前記スヌーズ機能部は最初のアラーム鳴動後に起動し、前記距離算出部により算出された距離が、前記設定距離に達していない場合に再度アラーム機構が起動する。
【０００９】
前記ＧＰＳ受信機は、最初のアラーム鳴動時刻設定時から設定秒間隔置きに動作することとしても良いし、前記設定時刻及びその後設定秒間隔置きに動作することとしても良く、その都度前記距離算出部に対して位置情報を提供する。また、前記アラーム機構は、最初のアラーム鳴動時から一定の時間経過後に、前記アラーム解除スイッチが押されているか否かに関係なく自動解除されることとしても良い。
【００１０】
前記アラーム機構には加速度センサーが設置されていることが好ましく、更にジャイロセンサーも設置し、自律航法により移動距離を算出できるようにすることがなお好ましい。また、前記二重アラーム機能を備えた時計は、腕時計又は懐中時計であることもあり、携帯電話機に、二重アラーム機能を備えた時計を組み込むことも考えられる。
【発明の効果】
【００１１】
本発明に係る二重アラーム機能を備えた時計によれば、一旦アラームが鳴動し、利用者がアラーム音停止操作をした後、設定距離以上移動しない限り、アラーム機能を完全に解除することができず、その間スヌーズ機能が継続し続け、アラーム音が鳴り続けることになる。そのため、目覚めの悪い者であっても、強制的に確実に目覚めさせることができる効果がある。
【図面の簡単な説明】
【００１２】
【図１】本発明に係る二重アラーム機能を備えた時計の要部の簡略構成図である。
【図２】本発明に係る二重アラーム機能を備えた時計の処理の流れを示す流れ図である。
【発明を実施するための形態】
【００１３】
本発明に係る二重アラーム機能を備えた時計を実施するための形態につき、添付図面を参照しつつ、詳細に説明する。本発明に係る二重アラーム機能を備えた時計は、設定時刻に目覚まし音を発するアラーム機構１と、そのアラーム機構１に対し最初の鳴動後所定時間経過後に再鳴動するよう作用するスヌーズ機能部２と、ＧＰＳ受信機３と、移動距離設定部４と、距離算出部５と、アラーム解除スイッチ６を含んで構成される。
【００１４】
距離算出部５は、ＧＰＳ受信機３を介して取得したアラーム機構１の当初の設定時刻における最初のアラーム鳴動時に利用者がいる第一地点Ａの位置情報と、その後（移動後）の第二地点Ｂにおいて取得した位置情報の２つの位置情報から、第一地点Ａと第二地点Ｂの間の距離を算出する。そして、アラーム解除スイッチ６を押し、且つ、利用者が移動距離設定部４において設定した設定距離以上移動していない限り、原則、スヌーズ機能が解除できないようにしたところに本発明の大きな特徴がある。
【００１５】
アラーム機構１の基本的動作は、一般的な目覚まし時計に採用されているものと特に変わりはない。また、アラーム機構１に付帯するスヌーズ機能部２の構成及び作用も同様である。なお、一般的な時計等におけるスヌーズ機能部は、アラーム設定時に、それを起動させるか否か選択できるようになっているが、本発明においては、スヌーズ機能部２の発動は必須である。それは、設定した設定距離以上移動していない場合に、強制的にアラームを再鳴動させるためである。
【００１６】
なお、アラーム機構１に、加速度センサーを設置することもある。この加速度センサーが設置されることにより、建物内等、ＧＰＳからの電波を受信することができないとき、又は、電波を受信し難いときに、この加速度センサーで移動距離を計算して、より正確な移動距離を算出することが可能になる。更に、アラーム機構１に、ジャイロセンサーを設置することもある。このジャイロセンサーは、自律航法により移動距離を算出するもので、それを採用することにより、前記加速度センサーと相俟って、より正確な移動距離を算出することが可能になる。
【００１７】
次いで、上記構成の本発明に係る二重アラーム機能を備えた時計の処理の流れにつき、図２の流れ図を参照しつつステップごとに説明する。
【００１８】
最初のアラーム鳴動時刻設定ステップ（Ｓ１０）
このステップは、各利用者が、起床予定時刻に合わせてアラーム機構１の鳴動開始時間をセットするステップで、一般の目覚まし時計について日常行っていることである。スヌーズ機能部２は、アラーム機構１の最初の鳴動後所定時間後（例えば、５分後）に、再度アラーム機構１が鳴動動作するように作用し、その後も所定時間間隔でアラーム機構１が鳴動動作するように作用する。この所定時間が変更可能な場合は、利用者は、鳴動開始時間セット時、若しくは、セット時以前に、同時にスヌーズ機能部２の発動時間設定を行う。なお、一実施形態においては、この最初のアラーム鳴動時刻設定後、直ちにＧＰＳ受信機３が起動し、その後設定秒間隔置き（例えば３秒置き）に動作する（Ｓ１５）。
【００１９】
移動距離設定ステップ（Ｓ２０）
上述したように、本発明においては、利用者はアラーム解除スイッチ６を押した後設定距離以上移動しないと、アラーム機構１の再鳴動を止めることができない。このステップは、この利用者が移動しなければならない距離を設定するためのステップで、利用者は、移動距離設定部４のタッチ操作、ボタン操作、ダイヤル操作等によって、例えば、「１００メートル」のようにその距離を設定する。ここまでのステップは、セッティング段階である。
【００２０】
アラーム機構の最初の鳴動ステップ（Ｓ３０）
上記ステップＳ１０で設定された起床予定時刻になると、アラーム機構１が鳴動を開始し、それに伴い、ＧＰＳ受信機３が動作して、利用者の位置（通常、寝床）を特定し、第一地点情報として距離算出部５に供給し、距離算出部５の記憶部に登録する。ここにおいて利用者が起床し、アラーム機構１の動作を止めたいときは、先ず、アラーム解除スイッチ６を押し、次いで上記設定距離以上移動することが必要となる。設定距離以上移動したか否かの判定は、後述するようにしてなされる。なお、一実施形態においては、このアラーム機構の最初の鳴動時に初めてＧＰＳ受信機３が起動し、その後設定秒間隔置き（例えば３秒置き）に動作する。
【００２１】
スヌーズ機能部発動ステップ（Ｓ４０）
上記ステップＳ３０のアラーム機構の最初の鳴動後、所定時間又は設定した時間経過後、スヌーズ機能部２が発動する。このスヌーズ機能部２が発動することで、アラームが再鳴動し得る状態となる。
【００２２】
移動距離算出ステップ（Ｓ５０）
上記のとおり、ＧＰＳ受信機３は、遅くとも、ステップＳ３０の時点から起動し、その後、設定秒間隔置きに動作する。ＧＰＳ受信機３は距離算出部５に、最初のアラーム鳴動時に利用者がいる地点を第一地点Ａとする位置情報を提供し、その後設定秒間隔置きに動作し、それぞれの地点を第二地点Ｂとする位置情報を提供する。そして、第二地点Ｂの位置情報が更新される都度、距離算出部５は、取得した第一地点Ａ、第二地点Ｂの２つの位置情報から、その間の距離を算出する。
【００２３】
距離比較・アラーム解除ステップ（Ｓ６０、Ｓ７０）
上記移動距離算出ステップＳ５０において算出された距離が、設定した距離に達した場合は、アラーム機構が解除される。設定した距離に達していない場合は、アラーム機構は解除されず、設定時間経過後、スヌーズ機能部２の発動により、アラームが再鳴動する。
【００２４】
なお、最初のアラーム鳴動時から一定時間が経過した場合には、制御部７の作用により、アラーム機構が自動解除されるようにしても良い。また、スヌーズ機能部２の発動、ＧＰＳの発動間隔は、予め制御部７に登録しておいても良いし、自由に設定できるようにしても良い。
【００２５】
本発明に係る二重アラーム機能を備えた時計は、前記各機能が制御部７により制御されて、動作する。
【００２６】
また、本発明に係る二重アラーム機能を備えた時計には、加速度センサーが設置される場合もある。加速度センサーが設置されている場合は、建物内にいるとき等、電波を受信し難く、ＧＰＳにより距離算出部５が正確な移動距離を算出できないような状況下であっても、アラーム機構１に設置される加速度センサーにより移動距離を算出し、そのデータが距離算出部５に伝達され、設定した距離を移動したか否かを判断することができる。この加速度センサーは、一般的なもの、例えば、ＭＥＭＳ加速度センサーを用いることができる。なお、この加速度センサーを用い、自律航法により移動距離を算出することも考えられる。即ち、加速度センサーのみならず、ジャイロセンサーも設置し、自律航法によって移動距離を算出し、そのデータが距離算出部５に伝達され、設定した距離を移動したか否かを更に正確に判断することが可能となる。
【００２７】
なお、本発明に係る二重アラーム機能を備えた時計は、一般的な目覚まし時計のみならず、腕時計である場合もあるし、懐中時計である場合もある。本発明に係る二重アラーム機能を備えた時計は、アラーム機構解除のために一定距離移動する必要があるので、むしろ、腕時計であったり、懐中時計であったり、持ち運びに便利な形態であることが好ましい。
【００２８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２９】
１    アラーム機構
２    スヌーズ機能部
３    ＧＰＳ受信機
４    移動距離設定部
５    距離算出部
６    アラーム解除スイッチ
７    制御部
【図１】
0006486060.tif 000002
【図２】
0006486060.tif 000003